(57)【要約】本発明に係る実施例は、タッチスクリーンを備えた端末の誤タッチ防止方法および装置に関する。当該方法は、端末の現在の状態情報を検出し、タッチジェスチャーを取得するためのモジュールにより取得された現在のタッチジェスチャーを取得し、現在の状態情報が姿勢情報または運動状態情報が含むことと、端末の現在の状態情報と現在のタッチジェスチャーが同じタッチ動作に対応するかどうかを判定することと、端末の現在の状態情報と現在のタッチジェスチャーが同じタッチ動作に対応する場合、タッチ動作に対応する操作を実行することとを含む。【選択図】図１
2017535827.tif 000002
【特許請求の範囲】
【請求項１】
タッチスクリーンを備えた端末の誤タッチ防止方法であって、
端末の現在の状態情報を検出し、タッチジェスチャーを取得するためのモジュールにより取得された現在のタッチジェスチャーを取得し、前記現在の状態情報が姿態情報または運動状態情報を含むことと、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定することと、
前記端末の現在の状態情報と前記現在のタッチジェスチャーが同じタッチ動作に対応する場合、前記タッチ動作に対応する操作を実行することとを含む、前記端末の誤タッチ防止方法。
【請求項２】
前記端末の現在の状態情報と前記現在のタッチジェスチャーが同じタッチ動作に対応するかどうかを判定することは、
前記端末の現在の状態情報を検出した第一の時間と前記現在のタッチジェスチャーを取得した第二の時間との時間差が予め設定された時間差以下であるかどうかを判定し、
前記時間差が予め設定された時間差以下である場合、前記端末の現在の状態情報と前記現在のタッチジェスチャーが同じタッチ動作に対応するかどうかを判定することを含む
請求項１に記載の方法。
【請求項３】
前記端末の運動状態情報は、前記端末の変位情報、加速度情報のうちのいずれかの一つの情報または複数の情報を含み、
前記タッチジェスチャーの運動状態情報は、前記タッチジェスチャーの変位情報、加速度情報のうちのいずれかの一つの情報または複数の情報を含む
請求項１に記載の方法。
【請求項４】
予め確立された、同じタッチ動作に対応する端末の状態情報とタッチジェスチャーの運動状態情報とのマッチング関係は、具体的に、
予め設定されたタッチ動作に対応するタッチジェスチャーのタッチスクリーンでの運動状態情報、および当該タッチジェスチャーにより端末が生成する状態情報を取得し、
取得された、前記予め設定されたタッチ動作に対応するタッチジェスチャーのタッチスクリーンでの運動状態情報、および当該タッチジェスチャーにより端末が生成する状態情報に基づいて、前記マッチング関係を確立することを含み、
前記予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定することは、
前記マッチング関係から、前記端末の現在の状態情報に対応するタッチジェスチャーの運動状態情報を確定し、
前記端末の現在の状態情報に対応するタッチジェスチャーの運動状態情報が前記現在のタッチジェスチャーの運動状態情報とマッチングするかどうかを判定し、
前記端末の現在の状態情報に対応するタッチジェスチャーの運動状態情報が前記現在のタッチジェスチャーの運動状態情報とマッチングする場合、前記端末の現在の状態情報と前記現在のタッチジェスチャーが同じタッチ動作に対応することを判定することを含む
請求項１〜３のいずれかの１項に記載の方法。
【請求項５】
前記予め確立された、同じタッチ動作に対応する端末の状態情報は、
端末の一つの方向の加速度変化量が第一の所定変化量以上であること、または、
端末の一つの方向の加速度変化量が第二の所定変化量以上であり、別の一つの方向または別の複数の方向の加速度変化量が第三の所定変化量以下である
請求項１に記載の方法。
【請求項６】
前記端末の現在の状態情報が前記端末の現在の変位情報を含む場合、前記マッチング関係に基づいて、前記端末の現在の状態情報と前記現在のタッチジェスチャーが同じタッチ動作に対応するかどうかを判定することは、
前記端末の現在の変位情報に基づいて、前記端末の現在の加速度情報を確定し、
前記端末の現在の加速度情報と前記マッチング関係に基づいて、前記端末の現在の状態情報と前記現在のタッチジェスチャーが同じタッチ動作に対応するかどうかを判定する
請求項５に記載の方法。
【請求項７】
前記一つの方向は、前記タッチスクリーンが存在する水平面に垂直な方向、または前記タッチスクリーンが存在する水平面と平行な方向を含む
請求項５または６に記載の方法。
【請求項８】
タッチスクリーンを備えた端末の誤タッチ防止装置であって、
端末の現在の状態情報を検出し、タッチジェスチャーを取得するためのモジュールにより取得された現在のタッチジェスチャーを取得するように構成され、前記現在の状態情報が姿態情報または運動状態情報を含む処理モジュールと、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定するように構成される判定モジュールと、
前記端末の現在の状態情報と前記現在のタッチジェスチャーが同じタッチ動作に対応する場合、前記タッチ動作に対応する操作を実行するように構成される実行モジュールとを含む、前記端末の誤タッチ防止装置。
【請求項９】
前記判定モジュールは、
前記端末の現在の状態情報を検出した第一の時間と前記現在のタッチジェスチャーを取得した第二の時間との時間差が予め設定された時間差以下であるかどうかを判定するように構成される第一の判定サブモジュールと、
前記時間差が予め設定された時間差以下である場合、前記端末の現在の状態情報と前記現在のタッチジェスチャーが同じタッチ動作に対応するかどうかを判定するように構成される第二の判定サブモジュールとを含む
請求項８に記載の装置。
【請求項１０】
前記端末の運動状態情報は、前記端末の変位情報、加速度情報のうちのいずれかの一つの情報または複数の情報を含み、
前記タッチジェスチャーの運動状態情報は、前記タッチジェスチャーの変位情報、加速度情報のうちのいずれかの一つの情報または複数の情報を含む
請求項８に記載の装置。
【請求項１１】
前記判定モジュールは、
予め設定されたタッチ動作に対応するタッチジェスチャーのタッチスクリーンでの運動状態情報、および当該タッチジェスチャーにより端末が生成する状態情報を取得するように構成される取得サブモジュールと、
取得された、前記予め設定されたタッチ動作に対応するタッチジェスチャーのタッチスクリーンでの運動状態情報、および当該タッチジェスチャーにより端末が生成する状態情報に基づいて、前記マッチング関係を確立するように構成される確立サブモジュールと、を含み、
前記判定モジュールは、
前記マッチング関係から、前記端末の現在の状態情報に対応するタッチジェスチャーの運動状態情報を確定するように構成される第一の確定サブモジュールと、
前記端末の現在の状態情報に対応するタッチジェスチャーの運動状態情報が前記現在のタッチジェスチャーの運動状態とマッチングするかどうかを判定するように構成される第三の判定サブモジュールと、
前記端末の現在の状態情報に対応するタッチジェスチャーの運動状態情報が前記現在のタッチジェスチャーの運動状態とマッチングする場合、前記端末の現在の状態情報と前記現在のタッチジェスチャーが同じタッチ動作に対応することを判定するように構成される判定サブモジュールとをさらに含む
請求項８〜１０のいずれか１項に記載の装置。
【請求項１２】
前記予め確立された、同じタッチ動作に対応する端末の状態情報は、
端末の一つの方向の加速度変化量が第一の所定変化量以上であること、または、
端末の一つの方向の加速度変化量が第二の所定変化量以上であり、別の一つの方向または別の複数の方向の加速度変化量が第三の所定変化量以下であることを含む
請求項８に記載の装置。
【請求項１３】
第一の判定モジュールは、
前記端末の現在の変位情報に基づいて、前記端末の現在の加速度情報を確定するように構成される第二の確定サブモジュールと、
前記端末の現在の加速度情報と前記マッチング関係に基づいて、前記端末の現在の状態情報と前記現在のタッチジェスチャーが同じタッチ動作に対応するかどうかを判定するように構成される第四の判定サブモジュールとを含む
請求項１２に記載の装置。
【請求項１４】
前記一つの方向は、前記タッチスクリーンが存在する水平面に垂直な方向、または前記タッチスクリーンが存在する水平面と平行な方向を含む
請求項１２または１３に記載の装置。
【請求項１５】
タッチスクリーンを備えた端末の誤タッチ防止装置であって、
プロセッサと、
プロセッサで実行可能な命令を記憶するように構成されるメモリとを含み、
前記プロセスが、
端末の現在の状態情報を検出し、タッチジェスチャーを取得するためのモジュールにより取得された現在のタッチジェスチャーを取得し、前記現在の状態情報が姿態情報または運動状態情報を含み、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定し、
前記端末の現在の状態情報と前記現在のタッチジェスチャーが同じタッチ動作に対応する場合、前記タッチジェスチャーに対応する操作を実行するように構成される、前記タッチスクリーンを備えた端末の誤タッチ防止装置。
【発明の詳細な説明】
【技術分野】
【０００１】
本発明は、端末技術分野に関し、特にタッチスクリーンを備えた端末の誤タッチ防止方法および装置に関する。
【背景技術】
【０００２】
現在、多くの端末特にスマートデバイスは、タッチスクリーンを備える。ユーザは、当該タッチスクリーンに様々なタッチ操作を行うことで、対応する操作を完了することができ、例えば、タッチスクリーンにクリック操作を行うことで、当該タッチスクリーンにおけるクリックされた位置のアプリケーションを開くことができ、これにより、このような操作モードがユーザに大きな便利をもたらすことが分かるが、これと同時にこのような操作モードも誤操作を引き起こして、ユーザに不要な面倒をもたらす。
【発明の概要】
【課題を解決するための手段】
【０００３】
本開示の実施形態は、タッチスクリーンを備えた端末の誤タッチ防止方法および装置を提供する。前記技術的解決手段は、次の通りである。
【０００４】
本開示の実施形態の第一の態様によるタッチスクリーンを備えた端末の誤タッチ防止方法は、
端末の現在の状態情報を検出し、タッチジェスチャーを取得するためのモジュールにより取得された現在のタッチジェスチャーを取得し、前記現在の状態情報が姿態情報または運動状態情報を含むことと、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定することと、
前記端末の現在の状態情報と前記現在のタッチジェスチャーが同じタッチ動作に対応する場合、前記タッチ動作に対応する操作を実行することとを含む。
【０００５】
一つの実施形態において、前記端末の現在の状態情報と前記現在のタッチジェスチャーが同じタッチ動作に対応するかどうかを判定することは、
前記端末の現在の状態情報を検出した第一の時間と前記現在のタッチジェスチャーを取得した第二の時間との時間差が予め設定された時間差以下であるかどうかを判定し、
前記時間差が予め設定された時間差以下である場合、前記端末の現在の状態情報と前記現在のタッチジェスチャーが同じタッチ動作に対応するかどうかを判定することを含む。
【０００６】
一つの実施形態において、前記端末の運動状態情報は、前記端末の変位情報、加速度情報のうちのいずれかの一つの情報または複数の情報を含み、
前記タッチジェスチャーの運動状態情報は、前記タッチジェスチャーの変位情報、加速度情報のうちのいずれかの一つの情報または複数の情報を含む。
【０００７】
一つの実施形態において、予め確立された、同じタッチ動作に対応する端末の状態情報とタッチジェスチャーの運動状態情報とのマッチング関係は、具体的に、
予め設定されたタッチ動作に対応するタッチジェスチャーのタッチスクリーンでの運動状態情報、および当該タッチジェスチャーにより端末が生成する状態情報を取得し、
取得された、前記予め設定されたタッチ動作に対応するタッチジェスチャーのタッチスクリーンでの運動状態情報、および当該タッチジェスチャーにより端末が生成する状態情報に基づいて、前記マッチング関係を確立することを含み、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定することは、
前記マッチング関係から、前記端末の現在の状態情報に対応するタッチジェスチャーの運動状態情報を確定し、
前記端末の現在の状態情報に対応するタッチジェスチャーの運動状態情報が前記現在のタッチジェスチャーの運動状態情報とマッチングするかどうかを判定し、
前記端末の現在の状態情報に対応するタッチジェスチャーの運動状態情報が前記現在のタッチジェスチャーの運動状態情報とマッチングする場合、前記端末の現在の状態情報と前記現在のタッチジェスチャーが同じタッチ動作に対応することを判定することを含む。
【０００８】
一つの実施形態において、前記予め確立された、同じタッチ動作に対応する端末の状態情報は、
端末の一つの方向の加速度変化量が第一の所定変化量以上であること、または、
端末の一つの方向の加速度変化量が第二の所定変化量以上であり、別の一つの方向または別の複数の方向の加速度変化量が第三の所定変化量以下であることを含む。
【０００９】
一つの実施形態において、前記端末の現在の状態情報が前記端末の現在の変位情報を含む場合、前記マッチング関係に基づいて、前記端末の現在の状態情報と前記現在のタッチジェスチャーが同じタッチ動作に対応するかどうかを判定することは、
前記端末の現在の変位情報に基づいて、前記端末の現在の加速度情報を確定し、
前記端末の現在の加速度情報と前記マッチング関係に基づいて、前記端末の現在の状態情報と前記現在のタッチジェスチャーが同じタッチ動作に対応するかどうかを判定することを含む。
【００１０】
一つの実施形態において、前記一つの方向は、前記タッチスクリーンが存在する水平面に垂直な方向、または前記タッチスクリーンが存在する水平面と平行な方向を含む。
【００１１】
本開示の実施形態の第二の態様によるタッチスクリーンを備えた端末の誤タッチ防止装置は、
端末の現在の状態情報を検出し、タッチジェスチャーを取得するためのモジュールにより取得された現在のタッチジェスチャーを取得するように構成され、前記現在の状態情報が姿態情報または運動状態情報を含む処理モジュールと、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定するように構成される判定モジュールと、
前記端末の現在の状態情報と前記現在のタッチジェスチャーが同じタッチ動作に対応する場合、前記タッチ動作に対応する操作を実行するように構成される実行モジュールとを含む。
【００１２】
一つの実施形態において、前記判定モジュールは、
前記端末の現在の状態情報を検出した第一の時間と前記現在のタッチジェスチャーを取得した第二の時間との時間差が予め設定された時間差以下であるかどうかを判定するように構成される第一の判定サブモジュールと、
前記時間差が予め設定された時間差以下である場合、前記端末の現在の状態情報と前記現在のタッチジェスチャーが同じタッチ動作に対応するかどうかを判定するように構成される第二の判定サブモジュールとを含む。
【００１３】
一つの実施形態において、前記端末の運動状態情報は、前記端末の変位情報、加速度情報のうちのいずれかの一つの情報または複数の情報を含み、
前記タッチジェスチャーの運動状態情報は、前記タッチジェスチャーの変位情報、加速度情報のうちのいずれかの一つの情報または複数の情報を含む。
【００１４】
一つの実施形態において、前記判定モジュールは、
予め設定されたタッチ動作に対応するタッチジェスチャーのタッチスクリーンでの運動状態情報、および当該タッチジェスチャーにより端末が生成する状態情報を取得するように構成される取得サブモジュールと、
取得された、前記予め設定されたタッチ動作に対応するタッチジェスチャーのタッチスクリーンでの運動状態情報、および当該タッチジェスチャーにより端末が生成する状態情報に基づいて、前記マッチング関係を確立するように構成される確立サブモジュールと、を含み、
前記判定モジュールは、
前記マッチング関係から、前記端末の現在の状態情報に対応するタッチジェスチャーの運動状態情報を確定するように構成される第一の確定サブモジュールと、
前記端末の現在の状態情報に対応するタッチジェスチャーの運動状態情報が前記現在のタッチジェスチャーの運動状態情報とマッチングするかどうかを判定するように構成される第三の判定サブモジュールと、
前記端末の現在の状態情報に対応するタッチジェスチャーの運動状態情報が前記現在のタッチジェスチャーの運動状態情報とマッチングする場合、前記端末の現在の状態情報と前記現在のタッチジェスチャーが同じタッチ動作に対応することを判定するように構成される判定サブモジュールとをさらに含む。
【００１５】
一つの実施形態において、前記予め確立された、同じタッチ動作に対応する端末の状態情報は、
端末の一つの方向の加速度変化量が第一の所定変化量以上であること、または、
端末の一つの方向の加速度変化量が第二の所定変化量以上であり、別の一つの方向または別の複数の方向の加速度変化量が第三の所定変化量以下であることを含む。
【００１６】
一つの実施形態において、第一の判定モジュールは、
前記端末の現在の変位情報に基づいて、前記端末の現在の加速度情報を確定するように構成される第二の確定サブモジュールと、
前記端末の現在の加速度情報と前記マッチング関係に基づいて、前記端末の現在の状態情報と前記現在のタッチジェスチャーが同じタッチ動作に対応するかどうかを判定するように構成される第四の判定サブモジュールとを含む。
【００１７】
一つの実施形態において、前記一つの方向は、前記タッチスクリーンが存在する水平面に垂直な方向、または前記タッチスクリーンが存在する水平面と平行な方向を含む。
【００１８】
本開示の実施形態の第三の態様によるタッチスクリーンを備えた端末の誤タッチ防止装置は、
プロセッサと、
プロセッサで実行可能な命令を記憶するように構成されるメモリとを含み、
ここで、前記プロセスが、
端末の現在の状態情報を検出し、タッチジェスチャーを取得するためのモジュールにより取得された現在のタッチジェスチャーを取得し、前記現在の状態情報が姿態情報または運動状態情報を含み、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定し、
前記端末の現在の状態情報と前記現在のタッチジェスチャーが同じタッチ動作に対応する場合、前記タッチジェスチャーに対応する操作を実行するように構成される。
【００１９】
本開示の実施形態による技術的解決手段は、以下の有益な効果を含むことができる。
【００２０】
本開示の実施形態による技術的解決手段は、予め確立された、同じタッチ動作に対応する端末の状態情報とタッチジェスチャーの状態情報とのマッチング関係に基づいて、検出された当該現在の状態情報と取得された当該現在のタッチジェスチャーが同じタッチ動作に対応するかどうかを判定して、当該タッチジェスチャーが有効であるかどうか、誤タッチであるかどうかを正確に判定することができ、当該状態情報と当該現在のタッチジェスチャーが同じタッチ動作に対応し、当該現在のタッチジェスチャーが有効であることを判定した場合、当該タッチ動作に対応する操作を迅速に実行することができ、それによってユーザのタッチジェスチャーにタイムリーに応答し、ユーザが良い使用体験を持つことを確保する。
【００２１】
以上の一般的な説明と後の詳細な説明は、例示的または解釈的なものだけであるが、本開示を制限することができない。
【図面の簡単な説明】
【００２２】
【図１】一つの例示的な実施形態によるタッチスクリーンを備えた端末の誤タッチ防止方法のフローチャートである。
【図２】一つの例示的な実施形態による別のタッチスクリーンを備えた端末の誤タッチ防止方法のフローチャートである。
【図３】一つの例示的な実施形態による別のタッチスクリーンを備えた端末の誤タッチ防止方法のフローチャートである。
【図４】一つの例示的な実施形態による別のタッチスクリーンを備えた端末の誤タッチ防止方法のフローチャートである。
【図５】一つの例示的な実施形態によるタッチスクリーンを備えた端末の誤タッチ防止装置のブロック図である。
【図６】一つの例示的な実施形態による別のタッチスクリーンを備えた端末の誤タッチ防止装置のブロック図である。
【図７】一つの例示的な実施形態による別のタッチスクリーンを備えた端末の誤タッチ防止装置のブロック図である。
【図８】一つの例示的な実施形態による別のタッチスクリーンを備えた端末の誤タッチ防止装置のブロック図である。
【図９】一つの例示的な実施形態によるタッチスクリーンを備えた端末に適用する誤タッチ防止装置のブロック図である。
【発明を実施するための形態】
【００２３】
ここの図面が明細書に組み込まれて本明細書の一部を構成し、本開示に合致する実施形態を示し、明細書と共に本開示の原理を解釈することに用いられる。
【００２４】
ここで例示的な実施形態を詳細に説明し、その例が図面に示される。以下の説明が図面に関係する場合、特に明記しない限り、異なる図面における同じ数字が同じまたは類似の要素を表す。以下の例示的な実施形態に説明される実施形態は、本開示と一致するすべての実施形態を代表しない。逆に、それらは、添付の特許請求の範囲に詳細に説明された、本開示のいくつかの方面と一致する装置および方法の例だけである。
【００２５】
現在、多くの端末特にスマートデバイスは、タッチスクリーンを備える。ユーザは、当該タッチスクリーンに様々なタッチ操作を行うことで、対応する操作を完了することができ、例えば、タッチスクリーンにクリック操作を行うことで、当該タッチスクリーンにおけるクリックされた位置のアプリケーションを開くことができ、これにより、このような操作モードがユーザに大きな便利をもたらすことが分かるが、これと同時に、このような操作モードも誤操作を引き起こし、さらにユーザに不要な面倒をもたらす。
【００２６】
前記技術的問題を解決するように、本開示の実施形態は、タッチスクリーンを備えた端末の誤タッチ防止方法を提供し、当該方法がタッチスクリーンを備えた端末の誤タッチ防止プログラム、システムまたは装置に用いられることができ、且つ当該方法に対応する実行本体がユーザによって携帯される端末であってよく、図１に示すように、当該方法がステップＳ１０１−Ｓ１０３を含む。
【００２７】
ステップＳ１０１において、端末の現在の状態情報を検出し、タッチジェスチャーを取得するためのモジュールにより取得された現在のタッチジェスチャーを取得し、端末の現在の状態情報が端末の姿態情報、運動状態情報のうちのいずれかの一つまたは複数の情報を含む。
【００２８】
ここで、端末の姿態情報は、端末本体の傾斜角度などの情報であってよい。ジャイロスコープを使用して端末の姿態情報を取得することができる。
【００２９】
端末の運動状態情報は、端末の変位情報、加速度情報、または両者の組み合わせであってよい。タッチジェスチャーを取得するモジュールは、電気容量の検出に基づいて、現在のタッチジェスチャーを取得するタッチスクリーンまたはタッチキー、またはタッチ機能を備える指紋モジュールであってよい。
【００３０】
ステップＳ１０２において、予め確立された、同じタッチ動作に対応する端末の状態情報とタッチジェスチャーの運動状態情報とのマッチング関係に基づいて、端末の現在の状態情報と現在のタッチジェスチャーが同じタッチ動作に対応するかどうかを判定する。
【００３１】
ステップＳ１０２により、現在のタッチジェスチャーが有効であるかどうか、誤ってタッチして生成されたものでなく、意図的に当該タッチスクリーンにタッチして生成されたものであるかどうかを判定することができ、具体的に、端末の現在の状態情報と当該現在のタッチジェスチャーが同じタッチ動作に対応する場合、当該現在のタッチジェスチャーが有効であり、当該現在のタッチジェスチャーが誤ってタッチして生成されたものでなく、ユーザにより意図的に当該タッチスクリーンに生成されたものであることを示し、逆に、端末の現在の状態情報と当該現在のタッチジェスチャーが同じタッチ動作に対応しない場合、当該現在のタッチジェスチャーが無効であり、誤タッチに属することを示し、例えばユーザが端末を携帯する過程に、スクリーンがロックされないのでタッチスクリーンに誤ってタッチして発生したジェスチャーである。
【００３２】
また、端末の現在の状態情報がタッチジェスチャーによって生成されたものであるので、運動変化が明らかではないかもしれなく、検出された端末の現在の状態情報があまり正確ではないかもしれないことを避けるために、端末に１つのチップを追加することができ、チップがタッチスクリーン上のタッチジェスチャーでトリガされ、したがって、当該チップの現在の状態情報を当該端末の現在の状態情報とすることができ、同様に、予め確立された、同じタッチ動作に対応する端末の状態情報とタッチジェスチャーの運動状態情報とのマッチング関係が実際に同じタッチ動作に対応する端末に予め設置されたチップの状態情報とタッチジェスチャーの運動状態情報とのマッチング関係であってもよい。
【００３３】
また、予め設置されたチップは、加速度センサが存在するチップであってよく、加速度センサがその存在するチップの状態情報を検出し、当該チップが端末に内蔵されてタッチスクリーンの下に位置し、したがって、タッチジェスチャーを受信した後に運動し、それによって現在の状態情報を生成する。
【００３４】
ステップＳ１０３において、検出された端末の現在の状態情報と現在のタッチジェスチャーが同じタッチ動作に対応する場合、前記タッチ動作に対応する操作を実行する。
【００３５】
検出された端末の現在の状態情報と現在のタッチジェスチャーが同じタッチ動作に対応しない場合、誤タッチが発生するかもしれないことを示し、この場合、保護操作を直接実行することができ、再度または複数回繰り返して判定して、誤タッチが確実に発生したかどうかを確認することもでき、誤タッチが確実に発生した場合、保護操作を実行する。保護操作は、端末のタッチスクリーンをロックすること、または予め設定された時間内で端末における予め設定されたプログラムの起動を禁止すること（例えば発信コールを禁止すること、インスタントメッセージングソフトウェアの実行を禁止すること、ショッピングアプリケーションの実行を禁止することなど）、または端末が低消費電力モードに入るのを制御することであってよく、保護操作は、さらに端末が誤操作を実行するのを防止し、誤タッチ防止効果を向上させることができる。
【００３６】
検出された端末の現在の状態情報と当該現在のタッチジェスチャーが同じタッチ動作に対応する場合、当該タッチジェスチャーが有効であることを示し、誤タッチの可能性を排除することができ、それに対応するタッチ動作に対応する操作を実行し続けることができ、それによってユーザのタッチジェスチャーにタイムリーに応答し、ユーザが良い使用体験を持つことを確保する。
【００３７】
また、当該タッチ動作に対応する操作を実行する場合、本端末で操作することができ、タッチ動作情報を本端末に接続された他の端末に送信し、当該他の端末によって当該タッチ動作に対応する操作を実行することができ、例えばタッチ動作に対応する操作が撮像アプリケーションで撮像することであると、本端末で撮像アプリケーションを起動して撮像すること、又は当該タッチ動作情報を本端末に接続された他の端末に送信し、その後当該他の端末に撮像アプリケーションを起動させて撮像することができる。
【００３８】
図２に示すように、一つの実施形態において、前記ステップＳ１０２は、以下のように実行されることができる。
【００３９】
ステップＡ１において、前記端末の現在の状態情報を検出した第一の時間と前記現在のタッチジェスチャーを取得した第二の時間との時間差が予め設定された時間差以下であるかどうかことを判定する。
【００４０】
ステップＡ２において、前記時間差が予め設定された時間差以下である場合、前記端末の現在の状態情報と前記現在のタッチジェスチャーが同じタッチ動作に対応するかどうかを判定する。
【００４１】
検出モジュールが端末の現在の状態情報を検出し、タッチジェスチャーを取得するためのモジュールが当該現在のタッチジェスチャーを取得した場合、ハードウェアおよびソフトウェア自身の理由のために当該第一の時間と当該第二の時間が異なるかもしれないので、ハードウェアおよびソフトウェア自身の理由のために同じタッチジェスチャーに対応するかどうかの判定結果が正確でないことを防止するために、第一の時間と第二の時間との時間差が当該予め設定された時間差より小さいかどうかを判定でき、そして、第一の時間と第二の時間を取得する限りない場合、または第一の時間と第二の時間が同じ場合のみに端末の現在の状態情報と当該現在のタッチジェスチャーが同じタッチ動作に対応するかどうかを判定することでなく、当該予め設定された時間差より小さい後、端末の現在の状態情報と現在のタッチジェスチャーが同じタッチ動作に対応するかどうかを判定し、このようにして当該第一の時間と当該第二の時間との時間差が大きすぎるので、当該同じタッチ動作に対応するかどうかの判定結果が無効になることを防止するとともに、ハードウェアおよびソフトウェア自身の理由のために当該第一の時間と第二の時間が異なるので、端末の現在の状態情報と現在のタッチジェスチャーが同じタッチ動作に対応しないことを誤って判定することを避けることができる。
【００４２】
一つの実施形態において、前記マッチング関係において、端末の運動状態情報は、端末の変位情報、加速度情報のうちのいずれかの一つの情報または複数の情報を含み、タッチジェスチャーの運動状態情報は、タッチジェスチャーの変位情報、加速度情報のうちのいずれかの一つの上方または複数の情報を含む。
【００４３】
端末の運動状態情報は、当該端末の変位情報例えば変位の方向および大きさを含み、加速度情報例えば加速度の方向と大きさをさらに含むことができ、加速度情報が加速度センサモジュールまたはジャイロスコープによって確定されることができ、同様に、タッチジェスチャーの運動状態情報は、当該タッチジェスチャーのタッチスクリーンに移動する変位情報例えば変位の方向と大きさ、スライドの加速度情報例えば加速度の方向および大きさのうちのいずれかの一つの情報または複数の情報を含むことができる。
【００４４】
図３に示すように、一つの実施形態において、前記ステップＳ１０２は、以下のように実行されることができる。
【００４５】
ステップＢ１において、予め設定されたタッチ動作に対応するタッチジェスチャーのスクリーンでの運動状態情報、および当該タッチジェスチャーにより端末が生成する状態情報を取得する。
【００４６】
ステップＢ２において、取得された、前記予め設定されたタッチ動作に対応するタッチジェスチャーのタッチスクリーンでの運動状態情報、および当該タッチジェスチャーにより端末が生成する状態情報に基づいて、前記マッチング関係を確立する。
【００４７】
各タッチ動作が１つのタッチジェスチャーに対応し、当該タッチジェスチャーが端末のタッチスクリーンに一定の運動状態情報（すなわちユーザがタッチスクリーンにタッチ操作して当該タッチジェスチャーを生成する場合、タッチジェスチャーが当該表示スクリーンに対して運動する変位の大きさおよび方向、加速度の大きさおよび方向）を有するだけでなく、これにより端末が地面、デスクトップなどの静止している基準物体に対して状態情報（すなわちユーザがタッチスクリーンにタッチ操作して当該タッチジェスチャーを生成する場合、当該端末が地面、デスクトップなどの静止している基準物体に相対する角度、運動する変位の大きさおよび方向、加速度の大きさおよび方向）を生成し、さらに、両方の運動が対応しているため、予め設定されたタッチ動作に対応するタッチジェスチャーのタッチスクリーンでの運動状態情報と当該タッチジェスチャーにより端末が生成する状態情報を取得した後、正確なマッチング関係を確立できる。
【００４８】
ステップＢ３において、前記マッチング関係から、前記端末の現在の状態情報に対応するタッチジェスチャーの運動状態情報を確定する。
【００４９】
端末の現在の状態情報を検出した後、前記マッチング関係から、当該現在の状態情報に対応するタッチジェスチャーの運動状態情報を取得することができる。
【００５０】
また、前記マッチング関係から、前記タッチジェスチャーの現在の運動状態情報に対応する端末の状態情報を確定することができる。
【００５１】
ステップＢ４において、前記端末の現在の状態情報に対応するタッチジェスチャーの運動状態情報が前記現在のタッチジェスチャーの運動状態情報とマッチングするかどうかを判定する。
【００５２】
また、タッチジェスチャーの現在の運動状態情報に対応する端末の状態情報が前記現在の端末の状態情報とマッチングするかどうかを判定することができる。
【００５３】
ステップＢ５において、タッチジェスチャーの現在の運動状態情報に対応する端末の状態情報が前記現在の端末の状態情報とマッチングする場合、前記端末の現在の状態情報と前記現在のタッチジェスチャーが同じタッチ動作に対応することを判定する。
【００５４】
マッチング関係から得られた当該端末の現在の状態情報に対応するタッチジェスチャーの運動状態情報が取得された当該現在のタッチジェスチャーの実際の運動状態情報とマッチングするかどうかに基づいて、両者が同じタッチ動作に対応するかどうかを正確に判定することができ、具体的に、マッチング関係から得られた当該端末の現在の状態情報に対応するタッチジェスチャーの運動状態情報が取得された当該現在のタッチジェスチャーの実際の運動状態情報とマッチングする場合、当該現在のタッチジェスチャーが当該端末の現在の状態情報に対応するタッチジェスチャーであることを示し、さらに当該現在のタッチジェスチャーが有効であり、誤ってタッチして生成されたものでないことを示し、且つ当該現在のタッチジェスチャーと当該端末の現在の状態情報が同じタッチ動作に対応する。
【００５５】
一つの実施形態において、予め確立された、同じタッチ動作に対応する端末の状態情報は、端末の一つの方向の加速度変化量が第一の所定変化量以上であること、または、端末の一つの方向の加速度変化量が第二の所定変化量以上であり、別の一つの方向または別の複数の方向の加速度変化量が第三の所定変化量以下であることであってよい。マッチング関係において、当該一つの方向が対応するタッチジェスチャーのスライドジェスチャーとマッチングし、例えば対応するタッチジェスチャーのスライドジェスチャーが方向Ａにスライドする場合、端末の方向Ａの加速度変化量が一つの変化量以上でなければならなく、またはタッチスクリーンが存在する水平面に直交する方向の加速度変化量が一つの変化量以上でなければならない。一つの実施形態において、一つの方向は、タッチスクリーンが存在する水平面に垂直な方向、またはタッチスクリーンが存在する水平面と平行な方向であってよい。当該一つの方向は、当該タッチスクリーンが存在する水平面に垂直な方向であってよく、例えば当該水平面に沿って直交して上向く又は下向く方向、または当該タッチスクリーンが存在する水平面と平行な方向、例えば当該水平面に沿って平行する上向き、下向き、左向きまたは右向き方向であってよい。
【００５６】
例えば、タッチ動作がスクリーンロック解除である場合、当該スクリーンロック解除に対応するタッチジェスチャーは、タッチスクリーンに垂直に下へダブルクリックすることであり、当該垂直に下へダブルクリックするジェスチャーの運動状態情報が設定された時間で２回連続して加速する方向が下へ向き、加速度の大きさがａミリメートル／秒であることであり、これに対応し、当該垂直に下へダブルクリックするジェスチャーにより端末の状態情報が設定された時間で２回連続して加速する方向が下へ向き、加速度の大きさがｂミリメートル／秒であることであり、それによってマッチング関係を確立でき、当該マッチング関係において、垂直に下へダブルクリックするジェスチャーの運動状態情報は、設定された時間で２回連続して加速する方向が下へ向き、加速度の大きさがａミリメートル／秒であり、端末の状態情報が設定された時間で２回連続して加速する方向が下へ向き、加速度の大きさがｂミリメートル／秒であることである。
【００５７】
前記実施形態に対応し、図４に示すように、一つの実施形態において、端末の現在の状態情報が端末の現在の変位情報を含む場合、前記ステップＳ１０２は、が以下のように実行されることができる。
【００５８】
ステップＣ１において、端末の現在の変位情報に基づいて、端末の現在の加速度情報を確定する。
【００５９】
ステップＣ２において、端末の現在の加速度情報と前記マッチング関係に基づいて、前記端末の現在の状態情報と前記現在のタッチジェスチャーが同じタッチ動作に対応するかどうかを判定する。
【００６０】
加速度情報が当該端末の運動状態を最も直接的に表すことができるので、当該状態情報は、端末の変位情報である場合、当該変位情報に基づいて当該端末の現在の加速度情報を確定することができ、その後当該現在の加速度情報、予め確立されたマッチング関係に基づいて前記端末の現在の状態情報と前記現在のタッチジェスチャーが同じタッチ動作に対応するかどうかを正確に確定することができる。
【００６１】
別の実施形態において、端末がユーザにより手で持たれる場合、通常、ユーザは、少なくとも一つの指がタッチスクリーンにタッチし、且つ端末本体が水平面に相対して一定の傾斜角度を有し、この場合、実験データに従って、マッチング関係を確立することができ、当該マッチング関係において、端末の状態情報は、端末本体の水平面に対する傾斜角度が予め設定された角度範囲にあり、これに対応し、対応するタッチジェスチャーの運動状態情報がタッチスクリーンを押す持続時間が予め所定された時間に達することである。端末の現在の状態情報と現在のタッチジェスチャーの運動状態情報が当該マッチング関係とマッチングすると、現在の端末がユーザにより手で持たれていることを示し、その後タッチスクリーンがタッチジェスチャーを受信した場合、継続して本解決手段による誤タッチ防止方法に従って操作することができる。
【００６２】
本開示の実施形態による前記タッチスクリーンを備えた端末の誤タッチ防止方法に対応して、本開示の実施形態がタッチスクリーンを備えた端末の誤タッチ防止装置が提供され、図５に示すように、以下のモジュールを含む。
【００６３】
処理モジュール５０１は、端末の現在の状態情報を検出し、タッチジェスチャーを取得するためのモジュールにより取得された現在のタッチジェスチャーを取得するように構成され、前記現在の状態情報が姿態情報または運動状態情報を含む。
【００６４】
判定モジュール５０２は、予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定するように構成される。
【００６５】
実行モジュール５０３は、前記端末の現在の状態情報と前記現在のタッチジェスチャーが同じタッチ動作に対応する場合、前記タッチ動作に対応する操作を実行するように構成される。
【００６６】
図６に示すように、一つの実施形態において、前記判定モジュール５０２は、
前記端末の現在の状態情報を検出した第一の時間と前記現在のタッチジェスチャーを取得した第二の時間との時間差が予め設定された時間差以下であるかどうかを判定するように構成される第一の判定サブモジュール５０２１と、
前記時間差が予め設定された時間差以下である場合、前記端末の現在の状態情報と前記現在のタッチジェスチャーが同じタッチ動作に対応するかどかを判定するように構成される第二の判定サブモジュール５０２２とを含む。
【００６７】
一つの実施形態において、前記端末の運動状態情報は、前記端末の変位情報、加速度情報のうちのいずれかの一つまたは複数の情報を含む。
【００６８】
前記タッチジェスチャーの運動状態情報は、前記タッチジェスチャーの変位情報、加速度情報のうちのいずれかの一つまたは複数の情報を含む。
【００６９】
図７に示すように、一つの実施形態において、前記判定モジュール５０２は、
予め設定されたタッチ動作に対応するタッチジェスチャーのタッチスクリーンでの運動状態情報、および当該タッチジェスチャーにより端末が生成する状態情報を取得するように構成される取得サブモジュール５０２３と、
取得された、前記予め設定されたタッチ動作に対応するタッチジェスチャーのタッチスクリーンでの運動状態情報、および当該タッチジェスチャーにより端末が生成する状態情報に基づいて、前記マッチング関係を確立するように構成される確立サブモジュール５０２４とを含み、
前記判定モジュール５０２は、
前記マッチング関係から、前記端末の現在の状態状態に対応するタッチジェスチャーの運動状態情報を確定するように構成される第一の確定サブモジュール５０２５と、
前記端末の現在の状態情報に対応するタッチジェスチャーの運動状態情報が前記現在のタッチジェスチャーの運動状態情報とマッチングするかどうかを判定するように構成される第三の判定サブモジュール５０２６と、
前記端末の現在の状態情報に対応するタッチジェスチャーの運動状態情報が前記現在のタッチジェスチャーの運動状態情報とマッチングする場合、前記端末の現在の状態情報と前記現在のタッチジェスチャーが同じタッチ動作に対応することを判定するように構成される判定サブモジュール５０２７とをさらに含む。
【００７０】
一つの実施形態において、前記予め確立された同じタッチ動作に対応する端末の状態情報は、
端末の一つの方向の加速度変化量が第一の所定変化量以上であること、または、
端末の一つの方向の加速度変化量が第二の所定変化量以上であり、別の一つの方向または別の複数の方向の加速度変化量が第三の所定変化量以下であることを含む。
【００７１】
図８に示すように、一つの実施形態において、第一の判定モジュール５０２は、
前記端末の現在の変位情報に基づいて、前記端末の現在の加速度情報を確定するように構成される第二の確定サブモジュール５０２８と、
前記端末の現在の加速度情報と前記マッチング関係に基づいて、前記端末の現在の状態情報と前記現在のタッチジェスチャーが同じタッチ動作に対応するかどうかを判定するように構成される第四の判定サブモジュール５０２９とを含む。
【００７２】
一つの実施形態において、前記一つの方向は、前記タッチスクリーンが存在する水平面に垂直な方向、または前記タッチスクリーンが存在する水平面と平行な方向を含む。
【００７３】
本開示の実施形態の第三の態様によるタッチスクリーンを備えた端末の誤タッチ防止装置は、
プロセッサと、
プロセッサで実行可能な命令を記憶するように構成されるメモリとを含み、
ここで、プロセッサが、
端末の現在の状態情報を検出し、タッチジェスチャーを取得するためのモジュールにより取得された現在のタッチジェスチャーを取得し、前記現在の状態情報が姿態状態または運動状態情報を含み、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定し、
前記端末の現在の状態情報と前記現在のタッチジェスチャーが同じタッチ動作に対応する場合、前記タッチ動作に対応する操作を実行するように構成される。
【００７４】
前記プロセッサは、
前記端末の現在の状態情報と前記現在のタッチジェスチャーが同じタッチ動作に対応するかどうかを判定することが、
前記端末の現在の状態情報を検出した第一の時間と前記現在のタッチジェスチャーを取得した第二の時間との時間差が予め設定された時間差以下であるかどうかを判定し、
前記時間差が予め設定された時間差以下である場合、前記端末の現在の状態情報と前記現在のタッチジェスチャーが同じタッチ動作に対応するかどかを判定することを含むように構成されることができる。
【００７５】
前記プロセッサは、
前記端末の運動状態情報が前記端末の変位情報、加速度情報のうちのいずれかの一つまたは複数の情報を含み、
前記タッチジェスチャーの運動状態情報が前記タッチジェスチャーの変位情報、加速度情報のうちのいずれかの一つまたは複数の情報を含むように構成されることができる。
【００７６】
前記プロセッサは、
予め確立された、同じタッチ動作に対応する端末の状態情報とタッチジェスチャーの運動状態情報とのマッチング関係が具体的に、
予め設定されたタッチ動作に対応するタッチジェスチャーのタッチスクリーンでの運動状態情報、および当該タッチジェスチャーにより端末が生成する状態情報を取得し、
取得された前記予め設定されたタッチ動作に対応するタッチジェスチャーのタッチスクリーンでの運動状態情報、および当該タッチジェスチャーにより端末が生成する状態情報に基づいて、前記マッチング関係を確立することを含み、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定することが、
前記マッチング関係から、前記端末の現在の状態情報に対応するタッチジェスチャーの運動状態情報を確定し、
前記端末の現在の状態情報に対応するタッチジェスチャーの運動状態が前記現在のタッチジェスチャーの運動状態情報とマッチングするかどうかを判定し、
前記端末の現在の状態情報に対応するタッチジェスチャーの運動状態が前記現在のタッチジェスチャーの運動状態情報とマッチングする場合、前記端末の現在の状態情報と前記現在のタッチジェスチャーが同じタッチ動作に対応することを判定することを含むように構成されることができる。
【００７７】
前記プロセッサは、
予め確立された同じタッチ動作に対応する端末の状態情報が、
端末の一つの方向の加速度変化量が第一の所定変化量以上であること、または、
端末の一つの方向の加速度変化量が第二の所定変化量以上であり、別の一つの方向または別の複数の方向の加速度変化量が第三の所定変化量以下であることを含むように構成されることができる。
【００７８】
前記プロセッサは、
前記端末の現在の状態情報が前記端末の現在の変位情報を含む場合、前記マッチング関係に基づいて、前記端末の現在の状態情報と前記現在のタッチジェスチャーが同じタッチ動作に対応するかどうかを判定することが、
前記端末の現在の変位情報に基づいて、前記端末の現在の加速度情報を確定し、
前記端末の現在の加速度情報と前記マッチング関係に基づいて、前記端末の現在の状態情報と前記現在のタッチジェスチャーが同じタッチ動作に対応するかどうかを判定することを含むように構成されることができる。
【００７９】
前記プロセッサは、
前記一つの方向が前記タッチスクリーンのある水平面に垂直な方向、または前記タッチスクリーンのある水平面と平行な方向を含むように構成されることができる。
【００８０】
図９は一つの例示的な実施形態によるタッチスクリーンを備えた端末の誤タッチ防止装置９００のブロック図であり、当該装置が端末装置に適用する。例えば、装置９００は、携帯電話、コンピュータ、デジタル放送端末、メッセージ送受信装置、ゲームコントローラ、タブレットデバイス、医療機器、トレーニング機器、パーソナルデジタルアシスタントなどであってよい。
【００８１】
図９を参照し、装置９００は、処理部材９０２、メモリ９０４、電源部材９０６、マルチメディア部材９０８、オーディオ部材９１０、入力／出力（Ｉ／Ｏ）インターフェイス９１２、センサ部材９１４、及び通信部材９１６のうちの一つまたは少なくとも２つの部材を含むことができる。
【００８２】
処理部材９０２は、通常、装置９００の全体操作、例えば表示、電話コール、データ通信、カメラ操作と記録操作に関連する操作を制御する。処理部材９０２は、１つまたは少なくとも２つのプロセッサ９２０を含んで命令を実行して、上記の方法のすべてまたは一部のステップを完了することができる。また、処理部材９０２は、１つまたは少なくとも２つのモジュールを含んで、処理部材９０２と他の部材のインタラクションに便利を与えることができる。例えば、処理部材９０２は、マルチメディアモジュールを含んで、マルチメディア部材９０８と処理部材９０２とのインタラクションのために便利を与えることができる。
【００８３】
メモリ９０４は、様々なタイプのデータを記憶して装置９００での操作をサポートするように構成される。これらのデータの例は、装置９００に操作するためのいかなる記憶オブジェクトまたは方法の命令、連絡先データ、電話帳データ、メッセージ、ピクチャー、ビデオなどを含む。メモリ９０４は、いかなるタイプの揮発性または不揮発性記憶装置またはそれらの組み合わせによって実現されることができ、例えばスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスクまたは光ディスクである。
【００８４】
電源部材９０６は、装置９００の様々な部材に電力を提供する。電源部材９０６は、電源管理システム、１つまたは少なくとも２つの電源、および他の、装置９００のために電力を生成し、管理して割り当てることに関連する部材を含むことができる。
【００８５】
マルチメディア部材９０８は、前記装置９００とユーザの間に１つの出力インタフェースを提供するスクリーンを含む。いくつかの実施形態において、スクリーンは、液晶ディスプレイ（ＬＣＤ）とタッチパネル（ＴＰ）を含むことができる。スクリーンがタッチパネルを含むと、スクリーンは、タッチスクリーンとして実現され、ユーザからの入力信号を受信することができる。タッチパネルは、１つまたは少なくとも２つのタッチセンサを含んでタッチ、摺動とタッチパネルでのジェスチャーをセンシングする。前記タッチセンサは、タッチまたは摺動操作の境界をセンシングするだけでなく、タッチまたは摺動操作に関連する持続時間と圧力を検出することができる。いくつかの実施形態において、マルチメディア部材９０８は、１つのフロントカメラおよび／またはリアカメラを含む。装置９００が操作モード、例えば撮影モードまたはビデオモードにある場合、フロントカメラおよび／またはリアカメラは、外部のマルチメディアデータを受信することができる。各フロントカメラおよび／またはリアカメラは、固定された光学レンズシステムであってよいまたはフォーカスと光学ズーム機能を備える。
【００８６】
オーディオ部材９１０は、オーディオ信号を出力および／または入力するように構成される。例えば、オーディオ部材９１０は、１つのマイク（ＭＩＣ）を含み、装置９００が操作モード、例えばコールモード、記録モードと音声識別モードにある場合、マイクが外部のオーディオ信号を受信するように構成される。受信されたオーディオ信号は、さらにメモリ９０４に記憶されるまたは通信部材９１６を介して送信されることができる。いくつかの実施形態において、オーディオ部材９１０は、オーディオ信号を出力するためのスピーカーをさらに含む。
【００８７】
Ｉ／Ｏインタフェース９１２は、処理部材９０２と周辺インタフェースモジュールの間にインタフェースを提供し、前記周辺インタフェースモジュールがキーボード、クリックホイール、ボタンなどであってよい。これらのボタンは、ホームボタン、音量ボタン、起動ボタンとロックボタンを含むことができるがこれらに限られない。
【００８８】
センサ部材９１４は、１つまたは少なくとも２つのセンサを含み、装置９００に各方面の状態評価を提供するように構成される。例えば、センサ部材９１４は、装置９００のオン／オフ状態、部材の相対的な位置決めを検出することができ、例えば前記部材が装置９００の表示器とキーパッドであり、センサ部材９１４は、さらに装置９００または装置９００の１つの部材の位置変化、ユーザと装置９００の接触が存在するまたは存在しないこと、装置９００の方位または加速／減速と装置９００の温度変化を検出することができる。センサ部材９４は、いかなる物理的接触がない場合に付近の物体の存在を検出するように構成される近接センサを含むことができる。センサ部材９１４は、イメージングアプリケーションに使用される光センサ、例えばＣＭＯＳまたはＣＣＤ画像センサをさらに含むことができる。いくつかの実施形態において、当該センサ部材９１４は、加速度センサ、ジャイロセンサ、磁気センサ、圧力センサ、マイクロ波センサまたは温度センサをさらに含むことができる。
【００８９】
通信部材９１６は、装置９００と他の装置の間の有線または無線通信を容易にするように構成される。装置９００は、通信基準に基づく無線ネットワーク、例えばＷｉＦｉ、２Ｇまたは３Ｇ、またはそれらの組み合わせにアクセスすることができる。一つの例示的な実施形態において、通信部材９１６は、放送チャネルを介して外部放送管理システムからの放送信号または放送関連情報を受信する。一つの例示的な実施形態において、前記通信部材９１６は、さらに近接場通信（ＮＦＣ）モジュールを含んで、近距離通信を促進する。例えば、ＮＦＣモジュールにおいてＲＦ識別（ＲＦＩＤ）技術、赤外線データ協会（ＩｒＤＡ）技術、超広帯域（ＵＷＢ）技術、ブルートゥース（登録商標）（ＢＴ）技術と他の技術に基づいて実現することができる。
【００９０】
例示的な実施形態において、装置９００は、１つまたは少なくとも２つの特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子により実現されることができ、前記方法を実行するように構成される。
【００９１】
例示的な実施形態において、命令を含む非一時的コンピュータ可読記憶媒体、例えば命令を含むメモリ９０４が提供され、前記命令が装置９００のプロセッサ９２０によって実行されて前記方法を完了することができる。例えば、前記非一時的コンピュータ可読記憶媒体は、ＲＯＭ、ランダムアクセスメモリ（ＲＡＭ）、ＣＤ−ＲＯＭ、磁気テープ、フロッピー（登録商標）ディスクと光データ記憶装置などであってよい。
【００９２】
非一時的コンピュータ可読記憶媒体であって、前記記憶媒体における命令が装置９００のプロセッサによって実行される場合、前記装置９００は、タッチスクリーンを備えた端末の誤タッチ防止方法を実行することができ、当該方法は、
端末の現在の状態情報を検出し、タッチジェスチャーを取得するためのモジュールにより取得された現在のタッチジェスチャーを取得し、前記現在の状態情報が姿態情報または運動状態情報を含むことと、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定することと、
前記端末の現在の状態情報と前記現在のタッチジェスチャーが同じタッチ動作に対応する場合、前記タッチ動作に対応する操作を実行することとを含む。
【００９３】
一つの実施形態において、前記端末の現在の状態情報と前記現在のタッチジェスチャーが同じタッチ動作に対応するかどうかを判定することは、
前記端末の現在の状態情報を検出した第一の時間と前記現在のタッチジェスチャーを取得した第二の時間との時間差が予め設定された時間差以下であるかどうかを判定し、
前記時間差が予め設定された時間差以下である場合、前記端末の現在の状態情報と前記現在のタッチジェスチャーが同じタッチ動作に対応するかどうかを判定することを含む。
【００９４】
一つの実施形態において、前記端末の運動状態情報は、前記端末の変位情報、加速度情報のうちのいずれかの一つの情報または複数の情報を含み、
前記タッチジェスチャーの運動状態情報は、前記タッチジェスチャーの変位情報、加速度情報のうちのいずれかの一つの情報または複数の情報を含む。
【００９５】
一つの実施形態において、予め確立された、同じタッチ動作に対応する端末の状態情報とタッチジェスチャーの運動状態情報とのマッチング関係は、具体的に、
予め設定されたタッチ動作に対応するタッチジェスチャーのタッチスクリーンでの運動状態情報、および当該タッチジェスチャーにより端末が生成する状態情報を取得し、
取得された、前記予め設定されたタッチ動作に対応するタッチジェスチャーのタッチスクリーンでの運動状態情報、および当該タッチジェスチャーにより端末が生成する状態情報に基づいて、前記マッチング関係を確立することを含み、
予め確立された、同じタッチ動作に対応する端末の状態情報とタッチジェスチャーの運動状態情報とのマッチング関係に基づいて、前記端末の現在の状態情報と前記現在のタッチジェスチャーが同じタッチ動作に対応するかどうかを判定することは、
前記マッチング関係から、前記端末の現在の状態情報に対応するタッチジェスチャーの運動状態情報を確定し、
前記端末の現在の状態情報に対応するタッチジェスチャーの運動状態情報が前記現在のタッチジェスチャーの運動状態情報とマッチングするかどうかを判定し、
前記端末の現在の状態情報に対応するタッチジェスチャーの運動状態情報が前記現在のタッチジェスチャーの運動状態情報とマッチングする場合、前記端末の現在の状態情報と前記現在のタッチジェスチャーが同じタッチ動作に対応することを判定することを含む。
【００９６】
一つの実施形態において、前記予め確立された、同じタッチ動作に対応する端末の状態情報は、
端末の一つの方向の加速度変化量が第一の所定変化量以上であること、または、
端末の一つの方向の加速度変化量が第二の所定変化量以上であり、別の一つの方向または別の複数の方向の加速度変化量が第三の所定変化量以下であることを含む。
【００９７】
一つの実施形態において、前記端末の現在の状態情報が前記端末の現在の変位情報を含む場合、前記マッチング関係に基づいて、前記端末の現在の状態情報と前記現在のタッチジェスチャーが同じタッチ動作に対応するかどうかを判定することは、
前記端末の現在の変位情報に基づいて、前記端末の現在の加速度情報を確定し、
前記端末の現在の加速度情報と前記マッチング関係に基づいて、前記端末の現在の状態情報と前記現在のタッチジェスチャーが同じタッチ動作に対応するかどうかを判定することを含む。
【００９８】
一つの実施形態において、前記一つの方向は、前記タッチスクリーンが存在する水平面に垂直な方向、または前記タッチスクリーンが存在する水平面と平行な方向を含む。
【００９９】
本分野の当業者は、明細書を考慮してここに開示される発明を実践した後に、容易に本開示の他の実施形態を考える。本出願は、本開示の実施形態のいかなる変形、用途または適応性変化をカバーすることを意図し、これらの変形、用途または適応性変化が本開示の実施形態の一般的な原理に従い且つ本開示の実施形態に開示されない本技術分野における公知の常識または慣用技術手段を含む。明細書と実施形態は、ただ例示的なものだけと見なされ、本開示の実施形態の真の範囲および精神が以下の特許請求の範囲によって示される。
【０１００】
本開示の実施形態は、以上に説明され且つ図面に示す正確な構造に限られなく、且つその範囲から逸脱しなくて各種類の変更と変化を行うことができると理解すべきである。本開示の実施形態の範囲は、添付の特許請求の範囲のみによって限定される。
【産業上の利用可能性】
【０１０１】
本開示の実施形態による技術的解決手段は、予め確立された、同じタッチ動作に対応する端末の状態情報とタッチジェスチャーの状態情報とのマッチング関係に基づいて、検出された当該現在の状態情報と取得された当該現在のタッチジェスチャーが同じタッチ動作に対応するかどうかを判定して、当該タッチジェスチャーが有効であるかどうか、誤タッチであるかどうかを正確に判定することができ、当該状態情報と当該現在のタッチジェスチャーが同じタッチ動作に対応し、当該現在のタッチジェスチャーが有効であることを判定した場合、当該タッチ動作に対応する操作を迅速に実行することができ、それによってユーザのタッチジェスチャーにタイムリーに応答し、ユーザが良い使用体験を持つことを確保する。
【図１】
2017535827.tif 000003
【図２】
2017535827.tif 000004
【図３】
2017535827.tif 000005
【図４】
2017535827.tif 000006
【図５】
2017535827.tif 000007
【図６】
2017535827.tif 000008
【図７】
2017535827.tif 000009
【図８】
2017535827.tif 000010
【図９】
2017535827.tif 000011
【国際調査報告】
2017535827.tif 000012
2017535827.tif 000013
2017535827.tif 000014
2017535827.tif 000015